(57)【特許請求の範囲】
【請求項１】
はんだ槽に溶融状態のはんだがその液面を雰囲気に暴露されて収容され、前記溶融状態のはんだを供給するＡＬＩＰ式電磁ポンプがその移動磁界発生用コイルを含めてその全体を前記はんだ槽のはんだ内にその吸い込み口を前記はんだ槽のはんだ液面側に向けて没設して設けられるとともにその推力発生流路に内部コアが挿抜自在に設けられ、
前記ＡＬＩＰ式電磁ポンプから供給される溶融状態のはんだを噴流させて噴流波を形成する吹き口体と前記ＡＬＩＰ式電磁ポンプの吐出口とを繋ぐ連繋手段を前記吐出口に結合させて固定しまた離脱させて解放するための固定／解放操作手段が前記吐出口に面しかつ前記内部コアを抜き去った後の推力発生流路を案内通路として操作可能に設けられていることを特徴とするＡＬＩＰ式はんだ付け噴流波形成装置。
【請求項２】
前記固定／解放操作手段がねじであり、前記ねじは前記案内通路に前記ねじに結合する回動操作手段を挿入して行われる回動操作により前記連繋手段を進退させて前記吐出口に結合させて固定しまた離脱させて解放するための進退調節手段であることを特徴とする請求項１記載のＡＬＩＰ式はんだ付け噴流波形成装置。
【発明の詳細な説明】
【０００１】
【発明の属する技術分野】
本発明は、電子部品を搭載したプリント配線板のような被はんだ付けワークとはんだの噴流波を接触させてはんだ付けを行う際に使用するはんだ付け噴流波形成装置であって、はんだの供給手段としてＡＬＩＰ式の電磁ポンプを使用したＡＬＩＰ式はんだ付け噴流波形成装置に関する。
【０００２】
【従来の技術】
はんだ付け噴流波形成装置には、はんだの噴流波を形成するためのポンプが必要であり、このポンプにより供給された溶融はんだを各種形状の吹き口体に供給してその吹き口から噴流させ、これによりはんだの噴流波を形成する。もちろん、この場合のはんだはヒータ等により加熱されて溶融状態にある。
【０００３】
そして、高度な制御性を有するはんだ付け噴流波形成装置として、誘導型電磁ポンプを使用したはんだ付け噴流波形成装置が使用されている。すなわち、電磁ポンプにより安定した噴流波を形成できるとともに波高調節の再現性に優れその応答性も優れているからである。
【０００４】
この誘導型電磁ポンプには、大別してＦＬＩＰ（ｆｌａｔ  ｌｉｎｅａｒ  ｉｎｄｕｃｔｉｏｎ  ｐｕｍｐ）とＡＬＩＰ（ａｎｎｕｌａｒ  ｌｉｎｅａｒ  ｉｎｄｕｃｔｉｏｎ  ｐｕｍｐ）そしてＨＩＰ（ｈｅｌｉｃａｌ  ｉｎｄｕｃｔｉｏｎ  ｐｕｍｐ）の各方式があり、それぞれ固有の構成を有している。
【０００５】
ＦＬＩＰを使用した装置の例としては、特開昭４９−６５９３４号公報や特開昭５８−１２２１７０号公報、ＷＯ９７／４７４２２号公報、特開平１１−１０４８１７号公報、等々にその例が開示され、これらの例に示される電磁ポンプは、移動磁界発生用コイルをはんだを収容したはんだ槽の外側の温度の低い空間すなわち大気中に設けるように構成している。さらに、前記の特開昭５８−１２２１７０号公報や特開平１１−１０４８１７号公報では、移動磁界発生用コイルの過熱を防止するための手段を備えて構成している。
【０００６】
すなわち、移動磁界発生用コイルを冷却しやすい位置に設けるとともに、さらにこの移動磁界発生用コイルに向けて冷却ファン等により冷風を供給し、その温度が過度に上昇してこの移動磁界発生用コイルの耐熱温度を越えることがないように構成されている。
【０００７】
これは、溶融状態の高温のはんだからの熱伝導により移動磁界発生用コイルやコアが加熱されるとともに、電磁ポンプで生じるエネルギー損失（銅損や鉄損等）により温度上昇するため、冷却ファン等の強制冷却手段によって冷却し、移動磁界発生用コイルの温度上昇を抑制する必要があるからである。
【０００８】
このことは、はんだを溶融状態に保持するために供給された熱エネルギーや電磁ポンプに供給され熱損失として失われた熱エネルギーを大気中へ捨て去ることを意味し、はんだ付け噴流波形成装置のエネルギー効率を低下させる要因となっている。
【０００９】
本発明者は、既に先の特許出願である特願２００１−３３６２７９号や特願２００１−３３６２８０号の発明のように、溶融状態のはんだに対して耐熱性を有する誘導型電磁ポンプをはんだ内に没設することにより、エネルギー効率に優れたはんだ付け噴流波形成装置を実現している。また、漏洩磁界も皆無に等しいので被はんだ付けワークであるプリント配線板に対する漏洩磁界の影響を心配する必要も無い。
【００１０】
【発明が解決しようとする課題】
本発明者は、この誘導型電磁ポンプを使用したはんだ付け噴流波形成装置の組み立てやメンテナンスを一層容易に行うことができるようにすることを目的として本発明を成した。すなわち、はんだ付け噴流波形成装置の製造コストを低くすることができるようにすること、また、はんだ付け噴流波形成装置のメンテナンスコストを低くすることができるようにすることであり、さらに具体的には、電磁ポンプをはんだ槽に固定しておいて、簡素な構成でこの電磁ポンプに連繋するチャンバ体や吹き口体等を独立して容易に着脱できるようにすることである。
【００１１】
本発明の目的は、電磁ポンプははんだの中に没設しておいてはんだ槽から取り外すことなく、この電磁ポンプに連繋するチャンバ体ひいては吹き口体だけをこの電磁ポンプに容易に着脱できるようにすること、すなわちチャンバ体を電磁ポンプの吐出口に結合させて固定しまた離脱させて解放することが容易にできるように構成することにあり、しかも、この作業箇所がはんだ中であって作業員が目視できない状態であってもこの作業を容易に行えるように構成することによって、はんだ付け噴流波形成装置のメンテナンス性を向上させることにある。
【００１２】
【課題を解決するための手段】
本発明のＡＬＩＰ式はんだ付け噴流波形成装置は、電磁ポンプの推力発生流路を通してチャンバ体（吹き口体との連繋手段）との結合・固定と離脱・解放の作業を行えるように構成したところに特徴がある。
【００１３】
（１）はんだ槽に溶融状態のはんだがその液面を雰囲気に暴露されて収容され、前記溶融状態のはんだを供給するＡＬＩＰ式電磁ポンプがその移動磁界発生用コイルを含めてその全体を前記はんだ槽のはんだ内にその吸い込み口を前記はんだ槽のはんだ液面側に向けて没設して設けられるとともにその推力発生流路に内部コアが挿抜自在に設けられる。
【００１４】
そして、前記ＡＬＩＰ式電磁ポンプから供給される溶融状態のはんだを噴流させて噴流波を形成する吹き口体と前記ＡＬＩＰ式電磁ポンプの吐出口とを繋ぐ連繋手段を前記吐出口に結合させて固定しまた離脱させて解放するための固定／解放操作手段が前記吐出口に面しかつ前記内部コアを抜き去った後の推力発生流路を案内通路として操作可能に設けられているように構成したＡＬＩＰ式はんだ付け噴流波形成装置である。
【００１５】
本発明においてはＡＬＩＰ式電磁ポンプがその吸い込み口をはんだ槽のはんだ液面側に向けて没設されている。そして、このＡＬＩＰ式電磁ポンプは、その円環状の推力発生流路に設けられた内部コアを（はんだ液面側から）抜き去ると、その推力発生流路の形状が管状で直線状の形状となる。
【００１６】
したがって、内部コアを抜き去った後の管状で直線状の推力発生流路は、はんだ液面の上方から前記の固定／解放操作手段を操作するための優れた案内通路として作用し、この固定／解放操作手段がはんだ中に在って目視できない状態においても容易かつ確実にこの固定／解放操作手段の操作を行うことが可能となる。すなわち、ＡＬＩＰ式電磁ポンプと連繋手段との結合・固定と離脱・解放の作業を容易に行うことができる。
【００１７】
（２）前記（１）のＡＬＩＰ式はんだ付け噴流波形成装置において、前記固定／解放操作手段をねじで構成する。そして、前記ねじは前記案内通路に前記ねじに結合する回動操作手段を挿入して行われる回動操作により操作されて、前記連繋手段を進退させて前記吐出口に結合させて固定しまた離脱させて解放する進退調節手段として構成したＡＬＩＰ式はんだ付け噴流波形成装置である。
【００１８】
内部コアを抜き去った後の推力発生流路は、直線状で横断面が円形であるため、直線挿入による固定／解放操作手段との結合に適し、回動操作による固定／解放操作に適している。
【００１９】
すなわち、内部コアを抜き去った後の推力発生流路の管軸にこのねじの頭部が位置しこのねじの軸芯が前記管軸に一致するようにこのねじを設けることにより、内部コアを抜き去った後のＡＬＩＰ式電磁ポンプの管状で直線状の推力発生流路は、固定／解放操作手段であるねじとの結合と操作において最も優れた案内通路となる。
【００２０】
また、このねじを締結手段としてではなく、回動操作により前記連繋手段を進退させて前記吐出口に結合させ固定しまた離脱させ解放する進退調節手段として使用しているため、締結手段としてのねじの嵌め合いという緻密で厳格な操作作業を行う必要が無くなり、連繋手段と電磁ポンプの吐出口との結合・固定また離脱・解放という作業を容易に行うことができる。
【００２１】
したがって、はんだ中に在って作業員が目視できない状態においても、例えばボックスレンチ等の通常の工具により前記ねじへの結合とその回動操作を容易に行うことが可能であり、電磁ポンプと吹き口体の連繋手段との結合・固定また離脱・解放作業を容易に行うことができる。
【００２２】
【発明の実施の形態】
本発明のＡＬＩＰ式はんだ付け噴流波形成装置は、次のような実施形態例において実現することができる。
【００２３】
（１）構成
図１は、本発明のＡＬＩＰ式はんだ付け噴流波形成装置の実施形態例の側断面を示す図である。また、図２は図１のＩ−Ｉ断面を示す図、図３は図１に示すＡＬＩＰ式はんだ付け噴流波形成装置の全容を説明するための斜視図、さらに図４はＡＬＩＰ式電磁ポンプとチャンバ体との結合と固定また離脱と解放を説明するための分解図で、図１同様ＡＬＩＰ式はんだ付け噴流波形成装置の側断面を示す図である。なお、図１および図４においては、温度制御系および電磁ポンプへの電力供給系をブロック図で示してあり、図３においては図をわかり易くするために噴流波を破線で描いてある。
【００２４】
すなわち、はんだ槽１内には槽底２（または槽壁３）に沿ってヒータ４が設けてあり、このはんだ槽１内に収容されたはんだ５を加熱して溶融させ、目的とする温度に保持するように構成されている。はんだ５の温度は温度制御装置６により制御される仕組みであり、この温度制御装置６は温度センサ７の温度検出結果を参照し、はんだ５の温度が予め指示された温度になるようにヒータ４に供給する電力を制御する仕組みである。
【００２５】
電磁ポンプ８はＡＬＩＰ式電磁ポンプであり、その吸い込み口９をはんだ液面５ａに向けた姿勢で設けられ、その移動磁界発生用コイル（単にコイルともいう）１０を含めてその全体をはんだ５内に没設して使用する。したがって、電磁ポンプ８で発生した熱損失（銅損や鉄損さらにはんだ５に流れる誘導電流によって発生するジュール損）の全てをはんだ５の加熱エネルギーとして使用することができる。なお、図においては移動磁界発生用コイル（単にコイルともいう）１０およびこのコイル１０が捲回される外部コア（単にコアともいう）１１の詳細を省略して図示していない。
【００２６】
また、このＡＬＩＰ式電磁ポンプ８の内部コア１２は、推力発生流路（単に流路ともいう）１３に対して挿抜自在に設けてあり、この内部コア１２は吸い込み口９のはんだ液面５ａ側に設けた傘状の吸い込み案内板１４と一体に構成し、この吸い込み案内板１４に設けられた涙目孔１５と電磁ポンプ８に設けられた係合ピン１６とを図１（ｂ）に示すように矢印Ｒ方向に回動して係合させることにより電磁ポンプ８に固定してある。したがって、矢印Ｒ’方向に回動すれば係合ピン１６が涙目孔１５の大きな孔から外れ、内部コア１２を吸い込み案内板１４と一体で抜き去ることができる。すなわち、涙目孔１５と係合ピン１６との回転係合により、内部コア１２と吸い込み案内板１４とを一体で着脱自在に構成してある。
【００２７】
なお、吸い込み案内板１４の中央部に設けた治具結合体１７は、螺合手段や「Ｌ」字型溝を有する係止結合手段さらには掴み結合手段等々の周知の結合手段すなわち治具を吸い込み案内板１４に結合し、その結合手段により内部コア１２と吸い込み案内板１４を引き抜いたり、あるいはその後に挿入したりするために使用されるものである。
【００２８】
ＡＬＩＰ式電磁ポンプ８は、移動磁界発生用コイル１０や外部コア１１の形状を円柱状に形成することができるため、通常はその外観も円柱状である。また、その内部コア１２も円柱状であり、この外部コア１１と内部コア１２との間の円環状の空間すなわち推力発生流路１３に移動磁界を発生させ、この流路１３のはんだ５に推力を与えて吐出力および吸い込み力を発生させる。なお、図１や図２に例示する構成のＡＬＩＰ式電磁ポンプ８は、電磁ポンプ８内の流路１３が直線状であることから、ストレートスルー型と呼称されている。
【００２９】
このＡＬＩＰ式電磁ポンプ８は、はんだ槽１の槽底２に設けられた基台１９にねじ２０により固定され（図２参照）、また、電磁ポンプ８に電力を供給する配線を通すための配線用のパイプ２１を、このパイプ２１に設けられたフランジ２２とこのパイプ２１の表面に設けられた雄ねじに螺合するねじ２３とにより、はんだ槽１の側壁３を挟むようにして貫通・固定し、このはんだ槽１の側壁３側から電気配線を行うことができるように構成してある。
【００３０】
このようにして、電磁ポンプ８の移動磁界発生用コイル１０と多相交流電源装置（例えば、３相インバータ電源装置）２５とを接続し、多相交流電力を電磁ポンプ８のコイル１０に供給することができるように構成してある。
【００３１】
なお、この多相交流電源装置２５は、制御装置２６との通信によりその出力電圧や周波数が任意に調節され設定される構成である。そして、制御装置２６はコンピュータシステムで構成され、キーボード等の指示操作部２７とＬＣＤ等の表示部２８とを備えていて、指示操作部２７からの指示により前記多相交流電源装置２５の作動を制御する構成である。
【００３２】
チャンバ体３０は、噴流波３１を形成する吹き口体３２とこの吹き口体３２へ溶融したはんだ５を供給する電磁ポンプ８とを連繋する連繋手段であるとともにはんだ５の流れを整えるための部材であり、このチャンバ体３０の流路は鉛直方向に対して傾けて設けてチャンバ体３０から吹き口体３２へはんだ５が流れる際の流体抵抗が小さくなるように構成してある。また、はんだ槽１もこのチャンバ体３０の傾斜に沿ってその槽底２を傾斜するように構成し、その容積を低減できるように構成している。
【００３３】
そして、このチャンバ体３０の電磁ポンプ結合端３３は、前記電磁ポンプ８を固定した基台１９の挿入部３４に嵌め合わされるように相互の形状と大きさを決めてあり、図１および図２さらに図４に示すように、この電磁ポンプ結合端３３を基台１９の挿入部３４に挿入することにより、相互の位置が規制されて相互結合が容易に行えるように構成してある。
【００３４】
さらに、チャンバ体３０の電磁ポンプ結合端３３には電磁ポンプ８の吐出口３５に嵌め合わされる嵌合孔３６を設けてあり、この嵌合孔３６の周囲には嵌め合わせの封止性を向上させるシール部材３７を設けてある。また、この嵌合孔３６の直下位置のチャンバ体３０の底部にはねじブラケット３９が設けてあり、このねじブラケット３９に嵌合用ねじ４０が螺合されている。
【００３５】
この嵌合用ねじ４０は、図２に示すように矢印Ａ方向に回動するとチャンバ体３０の電磁ポンプ結合端３３が矢印Ｃ方向へ進出し、このチャンバ体３０の嵌合孔３６が電磁ポンプ８の吐出口３５に嵌合して結合し固定される仕組みである。逆に嵌合用ねじ４０を矢印Ｂ方向に回動するとチャンバ体３０の電磁ポンプ結合端３３が矢印Ｄ方向へ退出し、このチャンバ体３０の嵌合孔３６が電磁ポンプ８の吐出口３５から離脱して解放される仕組みである。
【００３６】
一方、チャンバ体３０の他方の端部すなわち吹き口体結合端側４１に設けられた吊り下げ部４２は、はんだ槽１の上縁部１ａに係止してねじ４３で固定する仕組みである。この吊り下げ部４２に設けてある把手４４は、電磁ポンプ８とチャンバ体３０との結合・固定作業や離脱・解放作業を行う際に使用する部材である。
【００３７】
そして、吹き口体３２はスリーブ部４５を通したねじ４６によりはんだ液面５ａ上からチャンバ体３０にねじ固定できるように構成され、この吹き口体３２の交換が容易に行えるように構成してある。また、吹き口体３２内の多孔板４７ははんだ５の流れを整える整流手段であり、流速の大きさと方向を揃えて吹き口４８上に安定で場所的に均質な噴流波３１を形成するための手段である。さらに、図３に示す吹き口４８に設けられている案内板４９は、吹き口４８から噴流したはんだ５がはんだ槽１内に流下する際の案内をする手段である。
【００３８】
なお、連繋手段であるチャンバ体３０は吹き口体３２と一体的に構成されている場合もある。
【００３９】
（２）作動とチャンバ体の着脱
多相交流電源装置２５から電力が供給されると、ＡＬＩＰ式電磁ポンプ８の推力発生流路１３内に吸い込み口９側から吐出口３５側へ移動する磁界が発生し、この移動磁界によりその移動方向と同じ方向への推力を得たはんだ５が吸い込み口９から吐出口３５へ移動し、はんだ槽１のはんだ５がチャンバ体３０へ供給される。
【００４０】
電磁ポンプ８によりチャンバ体３０に供給されたはんだ５は、チャンバ体３０や多孔板４７等の整流手段により流れを整えられ、吹き口体３２へ供給されてその吹き口４８から噴流し、この吹き口４８上に噴流波３１を形成する。そして、この噴流波３１を形成したはんだ５は、その後案内板４９を流れ下ってはんだ槽１に還流し循環する。
【００４１】
図示はしないが、プリント配線板等の被はんだ付けワークは、搬送コンベアに搬送されながらこのはんだ付け噴流波形成装置の噴流波３１に接触し、その被はんだ付け部にはんだが供給されてはんだ付けが行われる。
【００４２】
次に、図４および図１と図２を参照しながら、吹き口体の連繋手段であるチャンバ体の着脱をどのように行うことができるかを説明する。
【００４３】
なお、本実施形態例ではチャンバ体３０に対して種々の吹き口体３２を設けることができるようにこの吹き口体３２をチャンバ体３０に対して着脱自在に設けるように構成しているが、単一の吹き口形状の吹き口体３２のみを使用するのであれば、すなわち単一の噴流波３１のみを使用するのであれば吹き口体３２とチャンバ体３０とを一体に構成してもよい。この場合、チャンバ体３０に相当する部分が連繋手段である。また、図４においては、当初からチャンバ体３０の吹き口体結合端４１に吹き口体３２が設けられた例を示しているが、チャンバ体３０を電磁ポンプ８に結合し固定してからこのチャンバ体３０に吹き口体３２を設けるようにしてもよい。
【００４４】
先ず、図４に示すようにＡＬＩＰ式電磁ポンプ８の内部コア１２を矢印Ｅに示すように抜き去る。この抜き去る作業は、内部コア１２が吸い込み案内板１４と一体に構成してあるので、図１に示すところのこの吸い込み案内板１４を矢印Ｒ’方向に回動して係合ピン１６と涙目孔１５との係合を解放してから行う。すなわち、吸い込み案内板１４の上部に設けられた治具結合体１７に、先に説明したような専用の結合治具を結合して行う。
【００４５】
次に、チャンバ体３０をはんだ槽１に装着する作業であるが、チャンバ体３０の把手４４を持って電磁ポンプ結合端３３を基台１９の挿入部３４に矢印Ｇ方向へ挿入し、電磁ポンプ結合端３３の先端が基台１９に当接するまで挿入する（当接状態は図１参照）。その後、チャンバ体３０の吊り下げ部４２をはんだ槽１の上縁部１ａに下ろして載せて置く。これにより、電磁ポンプ８の吐出口３５に嵌め合わされるチャンバ体３０の嵌合孔３６とこの電磁ポンプ８の吐出口３５の位置が整合する。
【００４６】
なお、チャンバ体３０の電磁ポンプ結合端３３を基台１９の挿入部３４へ挿入する作業に際しては、図４に示すように嵌合用ねじ４０がチャンバ体３０内に入り込んだ状態（図２に示す矢印Ｂ方向に嵌合用ねじ４０を回動させて入り込ませる）にして行い、この嵌合用ねじ４０の先端が他の部分に当接しないようにして、挿入作業が滑らかに行えるようにする。
【００４７】
次に、図４に示すように、はんだ液面５ａ側からＡＬＩＰ式電磁ポンプ８の推力発生流路１３にボックスレンチ５０を矢印Ｆ方向へ挿入し、この推力発生流路１３を案内通路としてチャンバ体３０の電磁ポンプ結合端３３に設けられた嵌合用ねじ４０に結合させる。
【００４８】
その後、嵌合用ねじ４０を、ボックスレンチ５０によって図２に示す矢印Ａ方向に回動してチャンバ体３０の電磁ポンプ結合端３３を電磁ポンプ８の吐出口３５方向すなわち矢印Ｃ方向へ進出させ、電磁ポンプ結合端３３の嵌合孔３６と電磁ポンプ８の吐出口３５とを結合させ、この進出が停止するまですなわち嵌合孔３６の周囲に設けられたシール部材３７が狭窄されるまで進出させて固定する。そして、ボックスレンチ５０をはんだ内から抜き去る（矢印Ｆ’方向）。
【００４９】
続いて、はんだ槽１の上縁部１ａに載せて置いたチャンバ体３０の吊り下げ部４２をねじ４３によりはんだ槽１の上縁部１ａに固定し、最初に電磁ポンプ８から抜き去った内部コア１２を矢印Ｅ’に示すように挿入する。そして、電磁ポンプ８に設けた係合ピン１６を吸い込み案内板１４に設けた涙目孔１５に通してからこの吸い込み案内板１４を矢印Ｒ方向に回動して係合させ、これにより吸い込み案内板１４と内部コア１２を固定して作業が完了する。
【００５０】
このように、ＡＬＩＰ式電磁ポンプ８の推力発生流路１３を、ボックスレンチ５０すなわちチャンバ体（あるいは吹き口体３２とチャンバ体とが一体に構成されている場合のチャンバ体部分）３０の固定／解放操作手段である嵌合用ねじ４０を回動操作するための手段の案内通路として使用することができるため、この嵌合用ねじ４０がはんだ５中にあって作業者に目視できない状態にあっても、容易に固定／解放操作を行うことができる。
【００５１】
なお、以上の作業は、はんだ槽１内にはんだ５が収容されていない状態、すなわちはんだ付け噴流波形成装置の組み立て作業においても同様である。
【００５２】
次に、チャンバ体３０をはんだ槽１から取り外す作業であるが、この作業は以上の作業とは逆の手順により行うことが可能である。すなわち、先ずＡＬＩＰ式電磁ポンプ８の内部コア１２を抜き去り（矢印Ｅ）、チャンバ体３０の吊り下げ部４２をはんだ槽１の上縁部１ａに固定していたねじ４３を取り外す。
【００５３】
続いて、ＡＬＩＰ式電磁ポンプ８の推力発生流路１３にボックスレンチ５０を挿入し（矢印Ｆ）、このボックスレンチ５０により嵌合用ねじ４０を図２に示す矢印Ｂ方向に回動してチャンバ体８の電磁ポンプ結合端３３を矢印Ｄ方向に退出させ、電磁ポンプ結合端３３を電磁ポンプ８の吐出口３５から離脱させ解放する。そして、ボックスレンチ５０を推力発生流路１３から抜く（矢印Ｆ’）。
【００５４】
最後に、チャンバ体８の吊り下げ部４２に設けた把手４４を掴んでこのチャンバ体８を図４の矢印Ｇ’方向へ引き出して取り外す。この際、吹き口体３２およびチャンバ体８内に溜まっていたはんだ５がこのチャンバ体３０の嵌合孔３６から流出するので、チャンバ体３０ひいては吹き口体３２を含めてはんだ槽１から容易に取り外すことができる。
【００５５】
このように、本発明の構成においては、ＡＬＩＰ式電磁ポンプ８の推力発生流路１３を案内通路として、チャンバ体（吹き口体とチャンバ体とが一体に構成されている場合はチャンバ体の部分）の固定／解放操作を容易に行うことができるようになる。すなわち、はんだ槽１内に固定された電磁ポンプ８に対して、吹き口体３２と吐出口３５とを繋ぐ連繋手段であるチャンバ体３０（吹き口体と一体構成されていることもある）を容易に結合・固定したり離脱・解放して、容易に着脱を行うことができるようになる。
【００５６】
したがって、はんだ付け噴流波形成装置の組み立てを容易に行うことができるようになるとともに、そのメンテナンス作業を容易に行うことができるようになる。しかも、固定／解放操作手段がはんだ５中にあって作業員により目視できない状態においても容易に行うことができる構成である。
【００５７】
通常は、このチャンバ体３０のメンテナンス作業は必要ないが、特別に固形分の多いフラックスを塗布したプリント配線板を多量に継続してはんだ付け作業を行った場合等においては、このフラックスが噴流波により洗い流されてはんだ５内に入り込み、チャンバ体３０の内壁にこのフラックスが付着することがある。そのような場合には、このようにしてチャンバ体３０を電磁ポンプ８から離脱・解放させて取り外し、その内部を清掃する等のメンテナンス作業を行えばよい。
【００５８】
なお、以上の実施形態例においては、チャンバ体３０の固定／解放操作手段が嵌合用ねじ４０である場合について説明したが、図５に示すような固定／解放機構からなるような構成とすることもできる。
【００５９】
図５は、チャンバ体の固定／開放機構の他の例について電磁ポンプの吐出口近傍領域を拡大して示した図で、図１と同様の側断面を示す図である。すなわち、ＡＬＩＰ式電磁ポンプ８がはんだ槽１の槽底２に設けられた基台１９の上に図２と同様に固定され、この基台１９の挿入部３４にチャンバ体３０の電磁ポンプ結合端３３を挿入し、その先端を基台１９に当接させることで、このチャンバ体３０の結合孔５１と電磁ポンプ８の吐出口３５の位置を整合させて結合させる仕組みである。なお、チャンバ体３０の結合孔５１の周囲には、先の例と同様に結合の封止性を向上させるシール部材３７を設けてある。
【００６０】
この基台１９の挿入部３４には、ヒンジ５２により弧状に上下動する押圧板５３を設けてあり、この押圧板５３と基台１９との間には圧縮状態のばね５４を設け、この押圧板５３を矢印Ｓ方向へ押し上げるように構成されている。また、この挿入部３４に設けられた押圧板５３の挿入口側には傾斜した案内部５５が形成され、チャンバ体３０の電磁ポンプ結合端３３を挿入し易いように構成している。さらに、チャンバ体３０の電磁ポンプ結合端３３に設けられた結合孔５１の直下位置の底部側には、押圧板５３に設けられた凸部５６と嵌め合わされる係合孔５７が設けてある。
【００６１】
すなわち、この基台１９に設けられた挿入部３４の案内部５５からチャンバ体３０の電磁ポンプ結合端３３を挿入すると、電磁ポンプ結合端３３が押圧板５３を図の下方へ押し下げながら挿入されるとともにこのチャンバ体３０と電磁ポンプ８との相互位置が規制され、電磁ポンプ結合端３３に設けられた係合孔５７と押圧板５３に設けられた凸部５６とが嵌め合わされて係合することでチャンバ体３０の結合孔５７と電磁ポンプ３０の吐出口３５とが位置整合して結合し固定される仕組みである。そして、このチャンバ体３０の電磁ポンプ結合端３３は、ばね５４によって加えられる矢印Ｓ方向への力によって押圧されてその結合状態が維持され固定される。
【００６２】
そしてその後、図に示すようにはんだ槽１の上縁部１ａでチャンバ体３０の吊り下げ部４２をねじ４３により固定し、チャンバ体３０を完全に固定する。
【００６３】
逆に、チャンバ体３０と電磁ポンプ８との結合と固定を離脱させて解放するには、先ずチャンバ体３０の吊り下げ部４２をはんだ槽１の上縁部１ａに固定しているねじ４３を取り外してこの吊り下げ部４２の固定を解放する。また、ＡＬＩＰ式電磁ポンプ８の内部コア１２を抜き去りその推力発生流路１３を案内通路とし、この推力発生流路１３に図５に例示するような治具５８を矢印Ｐ方向へ挿入する。この治具５８は円柱状の形状で、その案内部５９が推力発生流路１３に嵌め合わされて案内され、その先端の押部６０が前記押圧板５３の凸部５６に位置整合して当接する。
【００６４】
続いて、さらにこの治具５８を矢印Ｐ方向へ押し下げて押圧板５３の凸部５６を押し下げると、この凸部５６とチャンバ体３０の電磁ポンプ結合端３３に設けられた係合孔５７との嵌め合わされた係合が離脱する。そこで、この離脱状態でチャンバ体３０の吊り下げ部４２に設けられた把手４４によりこのチャンバ体３０を矢印Ｇ’方向に抜いて前記押圧板５３の凸部５６とチャンバ体３０の係合孔５７との係合を完全に解放する。
【００６５】
そして、前記凸部５６と係合孔５７との係合が解放されたら前記治具５８を矢印Ｐ’方向に抜き、その後にチャンバ体３０の電磁ポンプ結合端３３を基台１９の案内部５５から完全に抜いてチャンバ体３０と電磁ポンプ８との固定と結合を完全に離脱させて解放させる。
【００６６】
このように、電磁ポンプ８と吹き口体３２の連繋手段（チャンバ体３０）とを結合し固定したり、離脱させ解放したりするための固定／解放操作手段としては、ねじ手段以外のものであってもよく、ＡＬＩＰ式電磁ポンプ８の推力発生流路１３を案内通路として、作業員が目視確認できないはんだ５内の操作作業であっても、その固定／解放操作を容易に行えるようになる。
【００６７】
【発明の効果】
以上のように、本発明のＡＬＩＰ式はんだ付け噴流波形成装置によれば、その内部コアを抜き去った後の推力発生流路を案内通路として、電磁ポンプの吐出口と吹き口体とを繋ぐ連繋手段（チャンバ体）を吐出口に結合させて固定したり離脱させて解放したりするための固定／解放操作を行うことができるので、はんだ槽にはんだが収容されていて電磁ポンプの吐出口と連繋手段との結合部位が目視できない状態においても、電磁ポンプと連繋手段との結合・固定のための作業や離脱・解放のための作業を容易に行うことができるようになる。また、はんだ付け噴流波形成装置を製造する組み立て作業を行う際にも容易に組み立てることができるようになる。
【００６８】
したがって、メンテナンス性や生産性に優れたはんだ付け噴流波形成装置を実現することが可能となり、ひいてはメンテナンス費用や装置価格の低い装置を実現して安全で低コストのはんだ付け実装すなわちプリント配線板のはんだ付け作業を行うことができるようになる。
【図面の簡単な説明】
【図１】本発明のＡＬＩＰ式はんだ付け噴流波形成装置の実施形態例の側断面を示す図である。
【図２】図１のＩ−Ｉ断面を示す図である。
【図３】図１に示すＡＬＩＰ式はんだ付け噴流波形成装置の全容を説明するための斜視図である。
【図４】ＡＬＩＰ式電磁ポンプとチャンバ体との結合と固定また離脱と解放を説明するための分解図である。
【図５】チャンバ体の固定／解放機構の他の例について電磁ポンプの吐出口近傍領域を拡大して示した図である。
【符号の説明】
１  はんだ槽
１ａ  上縁部
２  槽底
３  槽壁
４  ヒータ
５  はんだ
５ａ  はんだ液面
６  温度制御装置
７  温度センサ
８  電磁ポンプ
９  吸い込み口
１０  移動磁界発生用コイル
１１  コア
１２  内部コア
１３  推力発生流路
１４  吸い込み案内板
１５  涙目孔
１６  係合ピン
１７  治具結合体
１９  基台
２０  ねじ
２１  パイプ
２２  フランジ
２３  ねじ
２５  多相交流電源装置
２６  制御装置
２７  指示操作部
２８  表示部
３０  チャンバ体
３１  噴流波
３２  吹き口体
３３  電磁ポンプ結合端
３４  挿入部
３５  吐出口
３６  嵌合孔
３７  シール部材
３９  ねじブラケット
４０  嵌合用ねじ
４１  吹き口体結合端
４２  吊り下げ部
４３  ねじ
４４  把手
４５  スリーブ部
４６  ねじ
４７  多孔板
４８  吹き口
４９  案内板
５０  ボックスレンチ
５１  結合孔
５２  ヒンジ
５３  押圧板
５４  ばね
５５  案内板
５６  凸部
５７  係合孔
５８  治具
５９  案内部
６０  押部
【図１】
0003970076.tif 000002
【図２】
0003970076.tif 000003
【図３】
0003970076.tif 000004
【図４】
0003970076.tif 000005
【図５】
0003970076.tif 000006